(57)【要約】【課題】  荷重が作用しても端部が浮き上がることがない床材パネルを提供すること。【解決手段】  格子状に構築した桁４上に複数設置して床を形成する床材パネル１であって、平面視四角形の隅角部１１を取除いた平面視が略八角形の床材パネルである。ここで、前記床材パネル１の端辺のうち、前記桁と並行する端辺には弾性支承材２を貼り付けるのが好ましい。【選択図】図１
2005155193.tif 000002
【特許請求の範囲】
【請求項１】
格子状に構築した桁上に複数設置して床を形成する床材パネルであって、
平面視四角形の隅角部を取除いた平面視が略八角形の床材パネル。
【請求項２】
前記床材パネルの端辺のうち、前記桁と並行する端辺に弾性支承材を貼り付けたことを特徴とする、請求項１記載の床材パネル。
【発明の詳細な説明】
【技術分野】
【０００１】
本発明は、格子状に構築した桁の上に複数設置して床を形成するための床材パネルに関するものである。
【背景技術】
【０００２】
Ｈ型鋼材などの桁材を格子状に配置して構築した桁ｂ上に床を形成する場合、平面視四角形に製作したプレキャストコンクリートパネルａの各辺を桁ｂで支持させる方法が従来から実施されている（図３参照）。
このようにパネルａの端辺を桁ｂで支持する支持方式では、パネルａの中央付近に荷重ｄが作用した場合に隅角部ｃに反力ｅが発生して、パネルａの隅角部ｃが跳ね上がる。
【発明の開示】
【発明が解決しようとする課題】
【０００３】
前記した従来のパネルを使用して床を形成した場合にあっては、次のような問題点がある。
＜１＞パネルの隅角部が浮き上がると、隣接するパネル間で段差が生じ、床の平面性が保持できなくなる。また、床材の上を舗装した場合などは、舗装にひび割れが発生する原因となる。
＜２＞パネルの隅角部の浮き上がりに派生して、パネル間に開きが生じる。パネル間の開きが大きくなると、床の連続性が保持できなくなる。また、パネルの上面を舗装した場合には、舗装のひび割れや陥没の原因となる。
＜３＞浮き上がりや開きを防止するためにパネルの端部をジベルなどで固定する方法が考えられる。しかし、パネルの端部を固定すると、車両の通行などの活荷重によって固定部に正負の繰り返し応力が発生する。この結果、固定部が疲労、劣化し易くなる。
【課題を解決するための手段】
【０００４】
上記のような課題を解決するために、本発明の床材パネルは、格子状に構築した桁上に複数設置して床を形成する床材パネルであって、平面視四角形の隅角部を取除いた平面視が略八角形の床材パネルである。ここで、前記床材パネルの端辺のうち、前記桁と並行する端辺には弾性支承材を貼り付けるのが好ましい。
【発明の効果】
【０００５】
本発明の床材パネルは、上記した課題を解決するための手段により、次のような効果の少なくとも一つを得ることができる。
＜１＞従来の平面視四角形の床材パネルの隅角部を取除いた形状であるため、荷重が作用しても床材パネルの端部が浮き上がることがない。
＜２＞弾性支承材によって床材パネルを支持する場合は、パネルの端部に発生する変位や回転を吸収することができる。このため、従来の剛結合部のように繰り返し載荷によって損傷し、水みちになることがない。
＜３＞床材パネルに作用する横方向の力に対しては、突起部で対向することができる。このため、横方向への床材パネルのずれを防ぐことができる。
【発明を実施するための最良の形態】
【０００６】
以下、図面を参照しながら本発明の実施の形態について説明する。
【０００７】
＜１＞床材パネル
本発明の床材パネル１は、格子状に配置した桁４上に複数の床材パネル１を敷き並べて床を形成するための部材である。従来から使用されている平面視四角形の床材パネルの隅角部１１には、荷重作用時に反力が発生するため、本発明の床材パネル１は隅角部１１を取除いた形状とする。この結果、床材パネル１に発生する跳ね上がり力を大幅に低減又は無くすことができる。
床材パネル１の平面形状は、四角形の４隅にある隅角部１１のすべてを取除いた略八角形である。床材パネル１の隅角部１１を三角柱として取除けば平面視は八角形になるが、隅角部１１を取除けばよいため、取除く形状は三角柱に限定されるものではない。
床材パネル１は、平面視が略八角形となるようにコンクリート、鋼材、高分子樹脂材などで製作することができる。床材パネル１は、中実構造であっても、中空構造であっても、外殻構造であってもよい。
【０００８】
＜２＞弾性支承材
弾性支承材２は、必要に応じて床材パネル１の各辺と桁４が対向する位置に貼り付ける。弾性支承材２を床材パネル１の各辺に貼り付けることで、床材パネル１は弾性支承材２を介して桁４上に支持される。例えば、床材パネル１の各辺のうち、桁４と並行する辺にのみ弾性支承材２を貼り付ける。
弾性支承材２は、床材パネル１の端辺に発生する変位や回転を吸収させるために設置する。弾性支承材２には、例えばゴム板やゴムシートなどが使用できる。
【０００９】
＜３＞突起部
突起部３は、設置した床材パネル１の横方向の移動を制限するために設ける。床材パネル１は、桁４上に設置しただけでは横方向に移動してずれるおそれがある。このような床材パネル１のずれを防ぐために、例えば桁４上に固定した突起部３を設け、床材パネル１の移動を拘束または制限する。
突起部３は、例えば桁４の上面に固定したジベルや穴開き鋼板を包み込むようにコンクリート等を打設して形成する。突起部３の強度は、床材パネル１に作用する水平力を基に算出することができる。突起部３の形状は、隣接する床材パネル１の端面の形状に合わせて形成する。
突起部３は、床材パネル１を設置する前に形成してもよいし、床材パネル１を設置した後に形成してもよい。床材パネル１を設置する前に突起部３を形成した場合は、床材パネル１を突起部３間に嵌め込むだけで簡単に床材パネル１を設置することができる。また、床材パネル１を設置した後に突起部３を形成する場合は、床材パネル１の端面が型枠となるため、突起部３を効率的に構築できる。
【００１０】
＜４＞緩衝材
緩衝材は、床材パネル１，１間に配置する間詰め材である。床材パネル１の端辺の変位や回転を弾性支承材２によって吸収させる構造とする場合は、床材パネル１，１間には隙間を設ける。緩衝材は床材パネル１，１間のこの隙間を埋める部材で、床材パネル１，１の隙間から水が桁４に向けて浸入することを防ぐことができる。また、床材パネル１，１同士が衝突して、床材パネル１の端部に応力集中が起き、損傷することを防ぐことができる。
緩衝材には、ゴム、ウレタン、発泡ウレタンなどの材料が使用できる。
【実施例】
【００１１】
実施例では、図２を参照しながら床材パネル１を使用した床の構築方法について説明する。
まず、桁４として例えばＨ型鋼材を格子状に並べる。桁４は鉄筋コンクリート等で構築することもできる。
桁４の上面には突起部３を設ける位置にジベルや穴開き鋼板などの連結材を取り付ける。突起部３は、コンクリートなどを打設して、ジベル３１などの連結材が埋め込まれるようにして形成する。突起部３の製作は、床材パネル１を設置する前でも、設置した後でもよい。
床材パネル１を使用して構築した床の上面は、床材パネル１の上面と突起部３の上面によって形成される。また、床材パネル１，１間には、必要に応じて緩衝材（図示せず）を配置する。
【図面の簡単な説明】
【００１２】
【図１】本発明の床材パネルの実施例の斜視図。
【図２】本発明の床材パネルを使用して形成した床の実施例の説明図。
【図３】従来のパネルに荷重が作用した場合の説明図。
【符号の説明】
【００１３】
１・・・床材パネル
２・・・弾性支承材
３・・・突起部
４・・・桁
【図１】
2005155193.tif 000003
【図２】
2005155193.tif 000004
【図３】
2005155193.tif 000005